(57)【要約】【課題】地図情報を表示する際のユーザビリティを向上させること。【解決手段】本願にかかる情報表示プログラムは、所定の携帯端末装置が有するコンピュータに、前記携帯端末装置が有する画面の下端側に配置された第１表示領域に、施設の位置を示す位置情報が配置された地図情報を表示し、前記画面の上端側に設定された第２表示領域に、前記施設に関する情報である施設情報のリストを表示する表示手順と、前記携帯端末装置を用いて前記施設の検索を行う際に、前記地図情報の表示範囲または前記リストの表示範囲のいずれか一方を変更する変更操作が行われた場合は、当該変更操作の対象となった表示範囲を変更するとともに、変更後の表示範囲に基づいて、他方の表示範囲を変更する変更手順とを実行させる。【選択図】図１
2018018402.tif 000002
【特許請求の範囲】
【請求項１】
所定の携帯端末装置が有するコンピュータに、
前記携帯端末装置が有する画面の下端側に配置された第１表示領域に、施設の位置を示す位置情報が配置された地図情報を表示し、前記画面の上端側に設定された第２表示領域に、前記施設に関する情報である施設情報のリストを表示する表示手順と、
前記携帯端末装置を用いて前記施設の検索を行う際に、前記地図情報の表示範囲または前記リストの表示範囲のいずれか一方を変更する変更操作が行われた場合は、当該変更操作の対象となった表示範囲を変更するとともに、変更後の表示範囲に基づいて、他方の表示範囲を変更する変更手順と
を実行させるための情報表示プログラム。
【請求項２】
前記変更手順は、前記地図情報の表示範囲を変更する変更操作が行われた場合は、前記地図情報の表示範囲を変更するとともに、変更後の表示範囲に基づいて、前記第２表示領域に表示されるリストを変更する
処理であることを特徴とする請求項１に記載の情報表示プログラム。
【請求項３】
前記変更手順は、前記地図情報の表示範囲を変更してから所定の時間が経過するまでの間、新たな変更操作が行われなかった場合は、当該変更後の表示範囲に基づいて、前記第２表示領域に表示されるリストを変更する
処理であることを特徴とする請求項２に記載の情報表示プログラム。
【請求項４】
前記変更手順は、前記第２表示領域に表示されるリストを、変更後の表示範囲が示す領域内の施設に関する施設情報のリストに変更する
処理であることを特徴とする請求項２または３に記載の情報表示プログラム。
【請求項５】
前記変更手順は、変更後の表示範囲が示す領域内に施設が存在しない場合は、当該領域から最近傍に位置する施設の位置が含まれるまで、当該変更後の表示範囲をさらに変更する
ことを特徴とする請求項２〜４のうちいずれか１つに記載の情報表示プログラム。
【請求項６】
前記変更手順は、前記施設の検索に関する第１モードである際に前記変更操作が行われた場合は、当該変更操作の対象ではない表示範囲を維持しつつ、当該変更操作の対象となった表示範囲を変更し、前記施設の検索に関する第２モードである際に前記変更操作が行われた場合は、当該変更操作の対象となった表示範囲を変更するとともに、変更後の表示範囲に基づいて、他方の表示範囲を変更する
処理であることを特徴とする請求項１〜５のうちいずれか１つに記載の情報表示プログラム。
【請求項７】
前記表示手順は、前記第１モードまたは前記第２モードを切り替える操作であって、前記第１表示領域内で行われる操作の内容を示す操作表示を前記地図情報と重ねて前記第１表示領域に表示する
処理であることを特徴とする請求項６に記載の情報表示プログラム。
【請求項８】
施設の位置を示す位置情報が配置された地図情報を画面上の第１表示領域に配置し、施設に関する情報である施設情報のリストの一部を前記画面上の第２表示領域に配置して表示する表示手順と、
前記リストの表示範囲を変更する操作が行われた場合は、前記リストの表示範囲を変更するとともに、変更後の表示範囲に施設情報が含まれる施設の位置に応じて、前記地図情報の表示範囲を変更する変更手順と
をコンピュータに実行させるための情報表示プログラム。
【請求項９】
前記変更手順は、変更後の表示範囲に施設情報が含まれる施設の位置を含めるように、前記地図情報の表示範囲を変更する
処理であることを特徴とする請求項８に記載の情報表示プログラム。
【請求項１０】
前記表示手順は、前記リストの表示範囲を変更する処理の実行を指示する操作であって、前記第１表示領域内で行われる操作の内容を示す操作表示を前記地図情報と重ねて前記第１表示領域に表示する
処理であることを特徴とする請求項８または９に記載の情報表示プログラム。
【請求項１１】
前記表示手順は、検索に関する処理の実行を指示する操作であって、前記第１表示領域内で行われる操作の内容を示す操作表示を前記地図情報と重ねて前記第１表示領域に表示する
処理であることを特徴とする請求項１〜１０のうちいずれか１つに記載の情報表示プログラム。
【請求項１２】
所定の携帯端末装置が有するコンピュータに、
前記所定の携帯端末装置を用いた施設の検索が行われる場合は、前記携帯端末装置が有する画面上の第１表示領域に、施設の位置を示す位置情報が配置された地図情報と、当該第１表示領域内で行われる操作の内容を示す操作表示とを重ねて配置し、前記画面上の第２表示領域に、前記施設に関する情報である施設情報のリストを配置して、前記地図情報、前記操作表示および前記リストを表示する表示手順と、
前記操作表示が示す内容の操作が前記第１表示領域内で行われた場合には、前記施設の検索に関する処理を開始する処理手順と
をコンピュータに実行させるための情報表示プログラム。
【請求項１３】
前記表示手順は、利用者の現在位置を基準として選択された施設に関する施設情報のリストを前記第２表示領域に配置し、選択された施設の位置を示す情報と、前記利用者の現在位置を示す情報とが配置された前記地図情報を前記第１表示領域に配置して表示する
処理であることを特徴とする請求項１〜１２のうちいずれか１つに記載の情報表示プログラム。
【請求項１４】
前記表示手順は、前記第１表示領域に表示された位置を示す情報のうち、前記リストの中から利用者によって選択された施設情報に関する施設の位置を示す情報を強調表示する
処理であることを特徴とする請求項１〜１３のうちいずれか１つに記載の情報表示プログラム。
【請求項１５】
前記表示手順は、所定の端末装置が有する画面の下端側に前記第１表示領域を設定し、当該画面の上端側に前記第２表示領域を設定する
処理であることを特徴とする請求項１〜１４のうちいずれか１つに記載の情報表示プログラム。
【請求項１６】
前記表示手順は、利用者が入力した検索クエリに対応する施設に関する施設情報と、当該施設の位置を示す情報が配置された地図情報とを表示する
処理であることを特徴とする請求項１〜１５のうちいずれか１つに記載の情報表示プログラム。
【請求項１７】
画面の下端側に配置された第１表示領域に、施設の位置を示す位置情報が配置された地図情報を表示し、前記画面の上端側に設定された第２表示領域に、前記施設に関する情報である施設情報のリストを表示する表示部と、
前記施設の検索を行う際に、前記地図情報の表示範囲または前記リストの表示範囲のいずれか一方を変更する変更操作が行われた場合は、当該変更操作の対象となった表示範囲を変更するとともに、変更後の表示範囲に基づいて、他方の表示範囲を変更する変更部と
を有することを特徴とする携帯端末装置。
【請求項１８】
施設の位置を示す位置情報が配置された地図情報を第１表示領域に配置し、施設に関する情報である施設情報のリストの一部を画面上の第２表示領域に配置して表示する表示部と、
前記リストの表示範囲を変更する操作が行われた場合は、前記リストの表示範囲を変更するとともに、変更後の表示範囲に施設情報が含まれる施設の位置に応じて、前記地図情報の表示範囲を変更する変更部と
を有することを特徴とする携帯端末装置。
【請求項１９】
施設の検索が行われる場合は、画面上の第１表示領域に、施設の位置を示す位置情報が配置された地図情報と、当該第１表示領域内で行われる操作の内容を示す操作表示とを重ねて配置し、前記画面上の第２表示領域に、前記施設に関する情報である施設情報のリストを配置して、前記地図情報、前記操作表示および前記リストを表示する表示部と、
前記操作表示が示す内容の操作が前記第１表示領域内で行われた場合には、前記施設の検索に関する処理を開始する処理部と
を有することを特徴とする携帯端末装置。
【請求項２０】
所定の携帯端末装置が実行する情報表示プログラムであって、
前記携帯端末装置が有する画面の下端側に配置された第１表示領域に、施設の位置を示す位置情報が配置された地図情報を表示し、前記画面の上端側に設定された第２表示領域に、前記施設に関する情報である施設情報のリストを表示する表示工程と、
前記携帯端末装置を用いて前記施設の検索を行う際に、前記地図情報の表示範囲または前記リストの表示範囲のいずれか一方を変更する変更操作が行われた場合は、当該変更操作の対象となった表示範囲を変更するとともに、変更後の表示範囲に基づいて、他方の表示範囲を変更する変更工程と
を含むことを特徴とする情報表示方法。
【請求項２１】
所定の携帯端末装置が実行する情報表示プログラムであって、
施設の位置を示す位置情報が配置された地図情報を画面上の第１表示領域に配置し、施設に関する情報である施設情報のリストの一部を前記画面上の第２表示領域に配置して表示する表示工程と、
前記リストの表示範囲を変更する操作が行われた場合は、前記リストの表示範囲を変更するとともに、変更後の表示範囲に施設情報が含まれる施設の位置に応じて、前記地図情報の表示範囲を変更する変更工程と
を含むことを特徴とする情報表示方法。
【請求項２２】
所定の携帯端末装置が実行する情報表示プログラムであって、
前記所定の携帯端末装置を用いた施設の検索が行われる場合は、前記携帯端末装置が有する画面上の第１表示領域に、施設の位置を示す位置情報が配置された地図情報と、当該第１表示領域内で行われる操作の内容を示す操作表示とを重ねて配置し、前記画面上の第２表示領域に、前記施設に関する情報である施設情報のリストを配置して、前記地図情報、前記操作表示および前記リストを表示する表示工程と、
前記操作表示が示す内容の操作が前記第１表示領域内で行われた場合には、前記施設の検索に関する処理を開始する処理工程と
を含むことを特徴とする情報表示方法。
【発明の詳細な説明】
【技術分野】
【０００１】
本発明は、情報表示プログラム、携帯端末装置、および情報表示方法に関する。
【背景技術】
【０００２】
従来、スマートフォンやタブレット型ＰＣ（Personal  Computer）等のスマートデバイス、デスクトップ型のＰＣ等、任意の情報表示装置に情報を表示させる技術が知られている。このような技術の一例として、情報表示装置に地図情報を表示させ、利用者の操作に応じて、地図の表示様態を変更する技術が知られている。例えば、利用者が、画面上で円をなぞる操作を行った場合には、表示されている地図情報の拡大や縮小を行う技術が知られている。
【先行技術文献】
【特許文献】
【０００３】
【特許文献１】特開２０１４−１０２８５０号公報
【特許文献２】特開２０１１−２５７９２３号公報
【発明の概要】
【発明が解決しようとする課題】
【０００４】
しかしながら、上記の従来技術では、地図情報を表示する際のユーザビリティが必ずしもよいとは言えない場合がある。
【０００５】
例えば、画面上に二つの表示領域を設定し、利用者が入力した検索クエリに対応する施設のリストを一方の表示領域に配置して表示し、他方の表示領域にその施設の位置を示す情報を配置した地図情報を表示するといった表示態様が考えられる。しかしながら、このような表示態様において、リストを変更した場合や、地図情報のスクロール操作や拡大縮小操作が行われた場合には、表示されるリストと表示される地図情報とに齟齬が生じてしまう。
【０００６】
本願は、上記に鑑みてなされたものであって、地図情報を表示する際のユーザビリティを向上させることを目的とする。
【課題を解決するための手段】
【０００７】
本願にかかる情報表示プログラムは、所定の携帯端末装置が有するコンピュータに、前記携帯端末装置が有する画面の下端側に配置された第１表示領域に、施設の位置を示す位置情報が配置された地図情報を表示し、前記画面の上端側に設定された第２表示領域に、前記施設に関する情報である施設情報のリストを表示する表示手順と、前記携帯端末装置を用いて前記施設の検索を行う際に、前記地図情報の表示範囲または前記リストの表示範囲のいずれか一方を変更する変更操作が行われた場合は、当該変更操作の対象となった表示範囲を変更するとともに、変更後の表示範囲に基づいて、他方の表示範囲を変更する変更手順とを実行させる。
【発明の効果】
【０００８】
実施形態の一態様によれば、地図情報を表示する際のユーザビリティを向上させることができるという効果を奏する。
【図面の簡単な説明】
【０００９】
【図１】図１は、実施形態に係る端末装置の一例を示す図である。
【図２】図２は、実施形態に係る配信システムの構成例を示す図である。
【図３】図３は、実施形態に係る施設情報配信サーバの構成例を示す図である。
【図４】図４は、実施形態に係る施設情報データベースに格納された情報の一例を示す図である。
【図５】図５は、実施形態に係る地図情報配信サーバの構成例を示す図である。
【図６】図６は、実施形態に係る端末装置の構成例を示す図である。
【図７】図７は、実施形態に関する端末装置が実行する表示処理のバリエーションを説明する図である。
【図８】図８は、実施形態に係る端末装置が施設の位置を示す情報を強調表示する処理の一例を示す図である。
【図９】図９は、実施形態に係る端末装置が実行する表示処理の流れの一例を示す第１のフローチャートである。
【図１０】図１０は、実施形態に係る端末装置が実行する表示処理の流れの一例を示す第２のフローチャートである。
【図１１】図１１は、ハードウェア構成の一例を示す図である。
【発明を実施するための形態】
【００１０】
以下に、本願にかかる情報表示プログラム、携帯端末装置、情報表示方法および配信装置を実施するための形態（以下、「実施形態」と記載する。）について図面を参照しつつ詳細に説明する。なお、この実施形態により本願にかかる情報表示プログラム、携帯端末装置、情報表示方法および配信装置が限定されるものではない。また、以下の各実施形態において同一の部位には同一の符号を付し、重複する説明は省略される。
【００１１】
〔１．端末装置の一例〕
まず、図１を用いて、情報表示装置の一例である端末装置１００が実行する処理の一例について説明する。図１は、実施形態に係る端末装置の一例を示す図である。図１では、端末装置１００によって、地図情報や施設情報等の各種コンテンツを表示する表示処理の一例を第１状態から第７状態に分けて記載した。
【００１２】
図１に示した端末装置１００は、スマートフォンやタブレット等のスマートデバイスであり、３Ｇ（Generation）やＬＴＥ（Long  Term  Evolution）等の無線通信網を介して任意のサーバ装置と通信を行うことができる携帯端末装置である。また、端末装置１００は、液晶ディスプレイ等の画面を有する。
【００１３】
ここで、端末装置１００が有する画面は、長方形の画面を有しているものとする。より具体的には、端末装置１００が有する画面は、縦方向の長さが横方向の長さよりも長い縦長の画面を有するものとする。また、以下の説明では、端末装置１００は、画面が縦長となる状態で使用される例について記載するが、実施形態は、これに限定されるものではなく、画面が横長となる状態で使用されてもよい。また、端末装置１００には、タッチパネルが採用されているものとする。すなわち、端末装置１００の利用者は、指やスタイラスで画面をタッチすることにより各種操作を行う。
【００１４】
なお、以下の説明では、コンテンツを画面に表示する際に基準となる位置であり、コンテンツを表示する際に、画面上の最も上側に配置される端をコンテンツの上端と記載する。また、コンテンツを画面に表示する際に生じる端のうち、画面上の最も下側に配置される端をコンテンツの下端と記載する。また、画面のうち上端側の方向を画面上方向と記載し、下端側の方向を画面下方向と記載する。また、画面のうち上端および下端を基準として右方向を画面右方向と記載し、左方向を画面左方向と記載する。
【００１５】
〔２−１．地図情報の表示について〕
このような端末装置１００は、利用者の要求に応じて、任意のコンテンツを表示可能である。例えば、端末装置１００は、コンテンツとして、各種道路や施設の位置を示す地図情報Ｍ１０を表示する。より具体的な例を挙げると、端末装置１００は、施設として、コンビニエンスストア、飲食店、美容室等、任意の物品や役務の提供を行う店舗、病院、駐車場等の情報を地図情報Ｍ１０と共に表示する。
【００１６】
例えば、端末装置１００は、ＧＰＳ（Global  Positioning  System）等の測位システムを用いて、端末装置１００の現在位置を取得する。また、端末装置１００は、地図情報配信サーバ３０に対し、現在位置を示す位置情報を送信することで、現在位置を含む所定の範囲の地図情報Ｍ１０を取得する。そして、端末装置１００は、取得した地図情報Ｍ１０を表示する。
【００１７】
また、端末装置１００は、利用者の操作に従って、地図情報Ｍ１０のうち画面上に表示する範囲を変更する。例えば、端末装置１００は、地図情報Ｍ１０の一部を画面上に表示し、地図情報Ｍ１０に対するスクロール操作が行われた場合は、地図情報Ｍ１０をスクロールさせることで、地図情報Ｍ１０のうち画面上に表示する領域（以下、「表示領域」と記載する場合がある。）を変更する。また、端末装置１００は、地図情報Ｍ１０の縮尺を変更する操作（例えば、拡大操作や縮小操作）が行われた場合は、操作に従って、地図情報Ｍ１０の縮尺を変更する。すなわち、端末装置１００は、スクロール操作、拡大操作または縮小操作等、地図情報Ｍ１０の表示範囲を変更する変更操作が行われた場合は、変更操作に従って、地図情報Ｍ１０の表示範囲を変更する。
【００１８】
〔２−２．施設情報の表示について〕
ここで、端末装置１００は、地図情報Ｍ１０を他のコンテンツを並べて表示してもよい。例えば、端末装置１００は、利用者が入力した検索クエリに対応する施設、または、利用者の現在位置から所定の範囲内にある施設であって、あらかじめ設定された所定の条件を満たす施設に関する施設情報を、地図情報Ｍ１０と並べて表示してもよい。
【００１９】
例えば、端末装置１００は、利用者の現在位置から所定の範囲内にある施設であって、あらかじめ設定された条件を満たす施設に関する施設情報を施設情報配信サーバ２０から取得する。例えば、端末装置１００は、施設の種別、施設の位置、施設の説明、営業時間、施設の外観の写真、施設の評価等を示す施設情報を取得する。なお、施設情報には、これらの情報以外にも、例えば、施設において提供される飲食品の写真や評価の内容、利用した際の感想等、施設を利用した利用者によって投稿された各種のコンテンツや、施設が予め登録した各種のコンテンツ等が含まれていてもよい。
【００２０】
また、端末装置１００は、画面を第１表示領域と第２表示領域とに分け、第１表示領域に地図情報Ｍ１０を配置し、取得した施設情報に含まれる写真や施設の名称のリストＳ０１を生成し、生成したリストＳ０１を第２表示領域に配置する。また、端末装置１００は、取得した施設情報から施設の位置を特定し、地図情報Ｍ１０のうち特定した位置に、施設の存在を示すアイコンＣ２０を配置する。そして、端末装置１００は、地図情報Ｍ１０やリストＳ０１を表示することで、利用者の現在位置とともに、利用者の周辺に位置する施設の位置および施設の情報を利用者に提供する。
【００２１】
〔２−３．表示されている範囲の変更について〕
ここで、端末装置１００が地図情報Ｍ１０とリストＳ０１とを表示した際に、利用者が地図情報Ｍ１０の変更操作を行った場合は、ユーザビリティが悪化する場合がある。例えば、端末装置１００は、スクロール操作に従って、地図情報Ｍ１０をスクロールさせた場合、地図情報Ｍ１０のうち画面上に表示される表示領域と、リストＳ０１に含まれる施設情報とに齟齬が生じてしまう。
【００２２】
また、例えば、端末装置１００は、リストＳ０１の一部のみが画面上に表示されている場合に、リストＳ０１のスクロール操作を受付けてもよい。しかしながら、端末装置１００は、スクロール操作に従ってリストＳ０１のうち画面上に表示される範囲を変更した場合には、地図情報Ｍ１０のうち表示されている表示領域と、リストＳ０１に含まれる施設情報のうち、画面上に表示されている施設情報とに齟齬が生じてしまう。
【００２３】
〔２−４．表示処理〕
そこで、端末装置１００は、以下の表示処理を実行する。まず、端末装置１００は、端末装置１００が有する画面の下端側に配置された第１表示領域に、施設の位置を示すアイコンＣ２０が配置された地図情報Ｍ１０を表示し、画面の上端側に設定された第２表示領域に、施設に関する情報である施設情報のリストを表示する。そして、端末装置１００は、端末装置１００を用いた施設の検索を行う際に、地図情報Ｍ１０の表示範囲またはリストの表示範囲のいずれか一方を変更する変更操作が行われた場合は、変更操作の対象となった表示範囲を変更するとともに、変更後の表示範囲に基づいて、他方の表示範囲を変更する。
【００２４】
例えば、端末装置１００は、地図情報Ｍ１０のうち画面上に表示される範囲を変更する変更操作が行われた場合は、変更操作に従って地図情報Ｍ１０の表示範囲を変更するとともに、変更後の表示範囲に基づいて、第２表示領域に表示されるリストＳ０１を変更する。より具体的には、端末装置１００は、地図情報Ｍ１０のうち、変更後の表示範囲が示す領域内の施設に関する施設情報のリストを取得し、リストＳ０１をリストＳ０２に変更する。
【００２５】
また、端末装置１００は、端末装置１００を用いた施設の検索が行われる場合は、第１表示領域に、アイコンＣ２０が配置された地図情報Ｍ１０と、第１表示領域内で行われる操作の内容を示す操作表示Ｉ０１とを重ねて配置し、画面上の第２表示領域に、施設情報のリストＳ０１を配置して、地図情報Ｍ１０、操作表示Ｉ０１およびリストＳ０１を表示する。そして、端末装置１００は、操作表示Ｉ０１が示す内容の操作が第１表示領域内で行われた場合には、施設の検索に関する処理を開始する。
【００２６】
例えば、端末装置１００は、第１表示領域内で指を時計回りに動かす操作を示す操作表示Ｉ０１を地図情報Ｍ１０と重ねて表示する。そして、端末装置１００は、操作表示Ｉ０１をなぞる操作が行われた場合は、施設の検索に関する各種の処理を開始する。例えば、端末装置１００は、施設の検索に関する各種の処理として、検索クエリの入力の受付処理や、施設の検索等を実行する。また、例えば、端末装置１００は、施設の検索に関する各種の処理として、端末装置１００を用いた施設の検索に関する第１モードおよび第２モードの切り替えを行う。
【００２７】
〔２−５．表示処理の一例〕
以下、図１を用いて、端末装置１００が実行する表示処理の一例について説明する。例えば、端末装置１００は、利用者の操作により地図情報Ｍ１０を表示するアプリケーションが実行された場合には、ＧＰＳ等を用いて現在位置を特定し、特定した現在位置から所定の範囲内の地図情報Ｍ１０を取得する。そして、端末装置１００は、第１状態に示すように、画面上方向の領域に地図情報Ｍ１０を表示するとともに、地図情報Ｍ１０の表示領域のうち、現在位置と対応する位置に現在位置を示すアイコンＵ０１を配置して表示する。
【００２８】
また、端末装置１００は、施設の検索や地図の検索に関する各種の操作を受付けるための操作パネルＣ１０を画面下方向に配置して表示する。例えば、端末装置１００は、施設の検索に用いる検索クエリの入力を受付けるためのボタン、おすすめの施設に関する施設情報を表示するためのボタン、検索クエリの履歴を表示するためのボタン等が配置された操作パネルＣ１０を表示する。そして、例えば、端末装置１００は、おすすめの施設に関する施設情報を表示するためのボタンを利用者の指Ｆ１０が選択した場合は、施設の検索に関する初期表示として、第２状態に示すように、地図情報Ｍ１０と施設情報のリストＳ０１とを表示する。
【００２９】
より具体的には、端末装置１００は、現在位置の近傍にある施設であって、所定の条件を満たす施設の施設情報を取得する。例えば、端末装置１００は、端末装置１００の利用者の性別、年代、趣味趣向、検索履歴等といった利用者の属性に応じて選択された施設の施設情報を取得してもよく、利用者の評価が高い方から順に所定の数の施設の施設情報を取得してもよい。
【００３０】
そして、端末装置１００は、取得した施設情報のリストＳ０１を生成し、生成したリストＳ０１を画面上方向に配置された第２表示領域に配置して表示する。また、端末装置１００は、画面下方向に配置された第１表示領域に地図情報Ｍ１０を配置し直すとともに、施設情報から各施設の位置を特定し、地図情報Ｍ１０のうち各施設の位置と対応する位置にアイコンＣ２０を配置して表示する。この結果、端末装置１００は、画面の上端側にお勧めの施設の施設情報を並べたリストＳ０１を配置して表示するとともに、画面の下端側に、そのリストに施設情報が含まれる店舗の位置を示した地図情報Ｍ１０を表示することとなる。より具体的には、端末装置１００は、「店舗Ａ」、「店舗Ｂ」、および「店舗Ｃ」といった施設の名称や、各施設の写真等を施設情報として表示するとともに、「店舗Ａ」、「店舗Ｂ」、および「店舗Ｃ」の位置を示すアイコンＣ２０を地図情報Ｍ１０上に配置して表示する。
【００３１】
また、端末装置１００は、検索に関する処理の実行を指示する操作であって、地図情報Ｍ１０が表示された第１表示領域内で行われる操作の内容を示す操作表示Ｉ０１を、地図情報Ｍ１０と重ねて第１表示領域に表示する。より具体的には、端末装置１００は、施設の検索に関する第１モードまたは第２モードを切り替えるための操作の内容を示す操作表示Ｉ０１を第１表示領域に表示する。例えば、端末装置１００は、第２状態に示すように、地図情報Ｍ１０が表示された第１表示領域内で時計回りに円を描くような操作の内容を示す操作表示Ｉ０１を地図情報Ｍ１０と重ねて表示する。なお、操作表示Ｉ０１は、背面に配置された地図情報Ｍ１０の視認性を損なわないように、透過度が設定されていてもよい。
【００３２】
そして、端末装置１００は、利用者がモードを切り替えることなく、地図情報Ｍ１０のうち画面上に表示される領域を画面左側へと移動させる操作、すなわち、画面右方向にスクロールさせるスクロール操作が行われた場合は、第３状態に示すように、リストＳ０１を変更することなく、地図情報Ｍ１０を画面右側へとスクロールさせる。
【００３３】
一方、端末装置１００は、第４状態に示すように、利用者の指Ｆ１０が操作表示Ｉ０１をなぞるような操作を行った場合は、操作に従って地図情報Ｍ１０の表示範囲を変更することなく、利用者の操作を受付ける。そして、端末装置１００は、操作表示Ｉ０１が示す操作を受付けた場合は、第１モードから第２モードに遷移する。また、端末装置１００は、第５状態に示すように、第２モードに遷移した状態で、利用者の指Ｆ１０が地図情報Ｍ１０を画面右方向にスクロールさせる操作を行った場合は、第６状態に示すように、地図情報Ｍ１０を画面右方向にスクロールさせる。ここで、端末装置１００は、地図情報Ｍ１０のスクロールに対し、スクロール操作の長さや速さ等に応じた慣性スクロールを適用してもよい。
【００３４】
また、端末装置１００は、地図情報Ｍ１０の表示領域を変更してから所定の時間（例えば、１秒）が経過するまでの間待機する。より具体的には、端末装置１００は、地図情報Ｍ１０のスクロールが停止してから所定の時間が経過するまでの間待機する。そして、端末装置１００は、スクロールが停止してから所定の時間が経過するまでの間に、新たな変更操作が行われなかった場合には、以下の処理を実行する。
【００３５】
まず、端末装置１００は、地図情報Ｍ１０のうち、変更後の表示領域が示す領域の施設に関する施設であって、所定の要件を満たす施設の施設情報を新たに取得する。そして、端末装置１００は、新たに取得した施設情報から新たなリストＳ０２を生成し、第１表示領域に表示されていたリストＳ０１をリストＳ０２に変更する。また、端末装置１００は、新たに施設情報から各施設の位置を特定し、地図情報Ｍ１０のうち各施設の位置と対応する位置にアイコンＣ２０を配置して表示する。
【００３６】
この結果、端末装置１００は、第７状態に示すように、変更後の表示範囲が示す領域内の施設の位置や施設情報を表示することができる。より具体的には、端末装置１００は、変更後の表示範囲が示す領域内に、「店舗Ｄ」、「店舗Ｅ」、および「店舗Ｆ」といった店舗が存在する場合は、リストＳ０１に代えて、「店舗Ｄ」、「店舗Ｅ」、および「店舗Ｆ」の施設情報を含むリストＳ０２を表示するとともに、「店舗Ｄ」、「店舗Ｅ」、および「店舗Ｆ」の位置を示すアイコンＣ２０を地図情報Ｍ１０上に配置して表示する。
【００３７】
すなわち、端末装置１００は、第１モードである場合には、地図情報Ｍ１０のスクロール操作、拡大操作、若しくは縮小操作といった表示範囲の変更操作に従って、地図情報Ｍ１０の表示範囲のみを変更する。一方、端末装置１００は、第２モードである場合は、変更操作に従って、地図情報Ｍ１０の表示範囲を変更するとともに、表示されていた施設情報のリストＳ０１を、変更後の表示範囲が示す領域内の施設の施設情報のリストＳ０２に変更する。このように、端末装置１００は、地図情報Ｍ１０の表示範囲の変更に従って、表示する施設情報を変更するので、ユーザビリティを改善することができる。
【００３８】
また、端末装置１００は、第１モードおよび第２モードの切り替えを受付ける。そして、端末装置１００は、第１モードである場合は、変更操作に従って、地図情報Ｍ１０の表示範囲のみを変更し、第２モードである場合は、変更操作に従って、地図情報Ｍ１０の表示範囲を変更するとともに、変更後の表示範囲に基づいて、表示される施設情報を変更する。
【００３９】
例えば、利用者は、施設情報が表示されている施設の周囲の地理的な状況を確認したいといった場合には、第１モードを選択する。このような場合、端末装置１００は、変更操作が行われても、表示されている施設情報やアイコンＣ２０を維持したまま、地図情報Ｍ１０の表示範囲のみを変更する。一方、利用者は、地図が表示されている領域とは異なる領域の施設を確認したいという場合は、第２モードを選択する。このような場合、端末装置１００は、変更操作が行われた際に、地図情報Ｍ１０の表示範囲を変更するだけではなく、変更後の表示範囲が示す領域内の施設に関する施設情報を取得し、表示されていたリストＳ０１を新たに取得した施設情報のリストＳ０２に更新し、新たな施設の位置を示すアイコンＣ２０を表示する。このため、端末装置１００は、利用者の検索目的に応じて、地図情報Ｍ１０の表示範囲と施設情報との変更態様を変更することができる。
【００４０】
〔２−６．変更操作の対象について〕
上述した例では、端末装置１００は、地図情報Ｍ１０に対する変更操作に応じて、表示する施設情報のリストＳ０１をリストＳ０２に変更した。しかしながら、実施形態は、これに限定されるものではない。例えば、端末装置１００は、施設情報のリストＳ０１の一部を第２表示領域に表示し、リストＳ０１をスクロールさせる操作に従って、リストＳ０１の表示範囲を変更する。そして、端末装置１００は、リストＳ０１のうち画面上に表示されている表示範囲に応じて、地図情報Ｍ１０の表示範囲を変更してもよい。例えば、端末装置１００は、リストＳ０１のうち、スクロール後の表示範囲に含まれる施設情報が示す施設の位置が表示されるまで、地図情報Ｍ１０の表示範囲を自動で変更してもよい。
【００４１】
ここで、端末装置１００は、画面上方向の第２表示領域にリストＳ０１配置して表示した場合は、利用者の指Ｆ１０が届きづらく、操作性を悪化させる恐れがある。そこで、端末装置１００は、リストＳ０１のうち表示される範囲を変更する処理の実行を指示する操作を第１表示領域内で受付けてもよい。より具体的には、端末装置１００は、リストＳ０１をスクロールさせる操作の内容を示す操作表示Ｉ０１を地図情報Ｍ１０と重ねて表示してもよい。
【００４２】
例えば、端末装置１００は、施設情報のリストＳ０１の一部を第２表示領域に配置して表示するとともに、地図情報Ｍ１０と操作表示Ｉ０１とを第１表示領域に配置して表示する。そして、端末装置１００は、利用者の指Ｆ１０が操作表示Ｉ０１をなぞる操作を第１表示領域内で行った場合は、地図情報Ｍ１０を変更せずに、リストＳ０１のうち画面内に表示させる領域を変更する。例えば、端末装置１００は、操作表示Ｉ０１をなぞる操作に従って、リストＳ０１をスクロールさせる。そして、端末装置１００は、利用者の操作が終了した場合は、スクロール後に表示されている施設情報に関する施設の位置が表示されるまで、地図情報Ｍ１０の表示範囲を自動的に変更してもよい。
【００４３】
〔２−７．表示範囲の変更について〕
また、端末装置１００は、地図情報Ｍ１０の表示範囲の拡大操作または縮小操作に応じて、表示範囲の拡大または縮小を行うとともに、変更後の表示範囲が示す領域の施設に関する施設情報を新たに取得し、取得した施設情報のリストを表示してもよい。また、例えば、端末装置１００は、リストＳ０１のうち表示されていない範囲に、変更後の表示範囲が示す領域の施設に関する施設情報が含まれている場合は、かかる施設情報が表示されるまで、リストＳ０１を自動でスクロールさせてもよい。すなわち、端末装置１００は、リストＳ０１のデータをリストＳ０２のデータへと変更するのではなく、地図情報Ｍ１０のうち画面上に表示されている範囲に応じて、リストＳ０１のうち画面上に表示される範囲を変更してもよい。
【００４４】
また、例えば、端末装置１００は、地図情報Ｍ１０の表示範囲を変更した結果、変更後の表示範囲が示す領域内に施設が存在しない場合は、その領域から最近傍に位置する施設の位置が含まれるまで、変更後の表示範囲をさらに自動で変更してもよい。例えば、端末装置１００は、変更後の表示範囲が示す領域内に施設が存在しない場合は、いずれかの施設の位置が表示されるまで、表示領域の縮尺を自動で縮小させてもよい。また、例えば、端末装置１００は、スクロール操作の結果、変更後の表示範囲が示す領域内に施設が存在しない場合は、いずれかの施設の位置が表示されるまで、スクロール操作が行われた方向に地図情報Ｍ１０の表示領域をさらに自動でスクロールさせてもよい。
【００４５】
〔２−８．表示対象となる施設について〕
また、端末装置１００は、任意の施設に関する施設情報や、施設の位置を示すアイコンＣ２０を表示してよい。例えば、端末装置１００は、利用者の属性に応じて選択された施設、すなわち、おすすめの施設のみならず、利用者が入力した検索クエリに対応する施設の施設情報と、その施設の位置を示すアイコンＣ２０とを表示してもよい。また、例えば、端末装置１００は、現在位置の近傍に位置する施設や、利用者が入力した検索クエリに対応する施設のうち、各利用者によって登録された評価の値が高い施設の施設情報を表示してもよい。
【００４６】
〔２−９．初期表示について〕
上述した例では、端末装置１００は、施設の検索に関する初期表示として、現在位置を基準として選択された施設に関する施設情報のリストＳ０１を第２表示領域に配置し、選択された施設の位置を示すアイコンＣ２０と、現在位置を示すアイコンＵ０１とが配置された地図情報Ｍ１０を第１表示領域に配置して表示した。しかしながら、実施形態は、これに限定されるものではない。例えば、端末装置１００は、施設の検索に関する初期表示として、利用者が入力した検索クエリとの関連性が最も高い施設の位置を中心とした地図情報Ｍ１０を表示するとともに、その施設の施設情報を含むリストＳ０１を表示してもよい。すなわち、端末装置１００は、施設情報のリストＳ０１と、その施設情報に関する施設の位置を含む地図情報Ｍ１０とを表示するのであれば、任意の位置や施設情報を初期表示として表示してもよい。
【００４７】
〔２−１０．強調表示について〕
また、端末装置１００は、施設情報やアイコンＣ２０の強調表示を行ってもよい。より具体的には、端末装置１００は、アイコンＣ２０のうち、施設情報のリストＳ０１の中から利用者によって選択された施設情報に関する施設の位置を示すアイコンＣ２０を強調表示してもよい。また、端末装置１００は、リストＳ０１に含まれる施設情報のうち、利用者が選択したアイコンＣ２０が示す位置にある施設の施設情報を強調表示してもよい。
【００４８】
〔２−１１．操作表示について〕
また、上述した端末装置１００は、第１モードと第２モードとを切り替える操作を示す操作表示Ｉ０１を表示した。しかしながら、実施形態は、これに限定されるものではない。例えば、端末装置１００は、操作表示Ｉ０１が示す操作を受付けた場合は、端末装置１００を用いた施設の検索に関する処理、すなわち、モバイル端末を用いた施設の検索に関する処理の実行を開始してもよい。
【００４９】
より具体的な例を挙げると、端末装置１００は、操作表示Ｉ０１が示す操作を受付けた際に、検索クエリの入力画面を表示し、施設の検索に用いる検索クエリの入力を受付けてもよい。このような検索クエリの入力を受付けた場合、端末装置１００は、入力された検索クエリに対応する施設の位置を示すアイコンＣ２０や地図情報Ｍ１０、および検索クエリに対応する施設の施設情報を並べたリストＳ０１を表示することとなる。
【００５０】
また、例えば、端末装置１００は、操作表示Ｉ０１が示す操作を受付けた際に、検索対象となる施設の種別を変更してもよい。例えば、端末装置１００は、飲食店の検索結果を表示している際に、操作表示Ｉ０１が示す操作を受付けた場合は、駐車場の検索結果を表示してもよい。また、例えば、端末装置１００は、円弧型の操作表示Ｉ０１を表示し、利用者が円弧の１／４をなぞった場合には、飲食店の検索結果を表示し、円弧の２／４をなぞった場合には、駐車場の検索結果を表示し、円弧の３／４をなぞった場合には、遊戯施設の検索結果を表示し、円弧を全てなぞった場合には、第１モードと第２モードとの切替を行ってもよい。
【００５１】
また、例えば、端末装置１００は、画面上の任意の位置に第１モードと第２モードとを切り替える操作を受付けるためのボタン等を配置し、利用者がボタンを選択した場合には、第１モードと第２モードとの切り替えを行ってもよい。また、端末装置１００は、第２モードにおいて、地図情報Ｍ１０の表示範囲や表示される施設情報を変更した後で、第２モードから第１モードへの切り替えが行われた場合は、現在位置を中心とした領域の地図情報Ｍ１０を表示するとともに、現在位置の近傍にある施設の施設情報を表示してもよい。
【００５２】
すなわち、端末装置１００は、第１モードと第２モードとを切り替える操作として、任意の操作を受付けることができる。また、端末装置１００は、第１モードと第２モードとの切り替えを行った際に、地図情報Ｍ１０の表示範囲や表示対象となる施設情報を変更するか否か、あるいは、どの領域の地図情報Ｍ１０や施設情報を表示するかといった処理については、任意の設定が採用可能である。
【００５３】
また、例えば、端末装置１００は、第１モードである場合は、第１表示領域内で時計回りに指を動かすといった操作を示す操作表示Ｉ０１を表示し、操作表示Ｉ０１が示す操作を利用者が行った場合は、第２モードに切り替える。一方、端末装置１００は、第２モードである場合は、第１表示領域内で反時計回りに指を動かすといった操作を示す操作表示Ｉ０１を表示し、操作表示Ｉ０１が示す操作を利用者が行った場合は、第１モードに切り替えるといった処理を実行してもよい。
【００５４】
また、端末装置１００は、第１モードと第２モードとの切り替えを受付ける操作以外にも、任意の操作を示す操作表示Ｉ０１を表示し、かかる操作を受付けてもよい。例えば、端末装置１００は、スクロール操作等、リストＳ０１のうち第２表示領域内に表示される範囲を変更する操作を示す操作表示Ｉ０１を第１表示領域内に表示し、第１表示領域内でかかる操作を受付けてもい。また、端末装置１００は、地図情報Ｍ１０の縮尺を変更する操作を示す操作表示Ｉ０１を第１表示領域内に表示し、第１表示領域内でかかる操作を受付けてもい。
【００５５】
また、端末装置１００は、第１表示領域内で指を左右に動かす操作や、所定の軌跡をなぞる操作等、任意の態様の操作を示す操作表示Ｉ０１を表示してもよい。また、端末装置１００は、操作表示Ｉ０１の背面に配置された地図情報Ｍ１０の視認性を考慮し、透過度が設定された操作表示Ｉ０１を表示してもよいが、異なる表示態様の操作表示Ｉ０１を表示してもよい。例えば、端末装置１００は、透過度が設定されていない操作表示Ｉ０１を表示してもよく、所定の色彩が設定された操作表示Ｉ０１を表示してもよい。
【００５６】
また、例えば、端末装置１００は、操作表示Ｉ０１を表示させるための操作を利用者から受付けてもよい。例えば、端末装置１００は、操作表示Ｉ０１を表示させるためのボタンを第１表示領域内に表示する。そして、端末装置１００は、利用者がボタンを選択した際に、第１表示領域内に操作表示Ｉ０１を表示させてもよい。
【００５７】
〔２−１２．実行主体について〕
なお、上記では説明を省略したが、端末装置１００は、上述した表示処理を任意の手法で実現することができる。例えば、端末装置１００は、上述した表示処理を端末装置１００に実行させるアプリケーションをあらかじめダウンロードし、任意のタイミングでアプリケーションを起動することで、上述した表示処理を実現してもよい。例えば、アプリケーションは、起動されると、地図情報Ｍ１０や施設情報の配信を受付け、図１に示した表示処理を実現してもよい。
【００５８】
また、端末装置１００は、地図情報Ｍ１０や施設情報の配信と同時に、ウェブブラウザ等、汎用のプログラムに上述した表示処理を実行させる制御情報の配信を受付ける。例えば、端末装置１００は、ＪａｖａＳｃｒｉｐｔ（登録商標）等といったスクリプト等といった制御情報を取得する。そして、端末装置１００は、制御情報に従って上記した表示処理を行ってもよい。
【００５９】
また、端末装置１００は、上述した制御情報に従って、上述した表示処理を実現するアプリケーションや、上述した表示処理を実現するアプリケーションそのものを制御情報として取得してもよい。例えば、端末装置１００は、利用者の操作に従って、上述した表示処理を実現するアプリケーションをダウンロードし、かかるアプリケーションを自装置にインストールする。かかるアプリケーションは、起動されると、利用者からの操作に応じて地図情報Ｍ１０や施設情報を取得し、上述した表示処理を実現するよう端末装置１００を制御する。ここで、アプリケーションは、上述した表示処理を実現するため、制御情報の配信を受付けてもよく、予めアプリケーションプログラム内に含んでいてもよい。
【００６０】
〔３．配信システムの構成〕
以下、上記した表示処理を実現する端末装置１００等について説明する。まず、図２を用いて、実施形態に係る配信システム１の構成について説明する。図２は、実施形態に係る配信システムの構成例を示す図である。図２に示すように、配信システム１は、端末装置１００と、施設情報配信サーバ２０と地図情報配信サーバ３０とを含む。
【００６１】
端末装置１００、施設情報配信サーバ２０および地図情報配信サーバ３０は、ネットワークＮを介して有線または無線により通信可能に接続される。なお、図２に示す配信システム１には、複数台の端末装置１００や、複数台の施設情報配信サーバ２０や、複数台の地図情報配信サーバ３０が含まれてもよい。
【００６２】
端末装置１００は、利用者による操作に従って、施設情報配信サーバ２０から施設情報の配信を受付けるとともに、地図情報配信サーバ３０から地図情報Ｍ１０と上述した表示処理を実現する制御情報の配信を受付ける。そして、端末装置１００は、かかる制御情報に従って動作し、表示処理を実現する。
【００６３】
施設情報配信サーバ２０は、各種の施設情報を配信するサーバ装置である。例えば、施設情報配信サーバ２０は、端末装置１００から現在位置を示す位置情報を取得すると、端末装置１００の現在位置の周辺に存在する施設であって、所定の条件を満たす施設を特定する。より具体的には、施設情報配信サーバ２０は、端末装置１００の利用者の属性と関連性が高い施設や、利用者が入力した検索クエリと関連性が高い施設を特定する。そして、施設情報配信サーバ２０は、特定した施設の施設情報を端末装置１００に対して配信する。
【００６４】
地図情報配信サーバ３０は、端末装置１００に地図情報Ｍ１０を配信するサーバ装置である。例えば、地図情報配信サーバ３０は、端末装置１００から現在位置を示す位置情報を取得すると、端末装置１００の現在位置を中心とした所定の範囲の地図である地図情報Ｍ１０を端末装置１００に対して配信する。なお、このような地図情報Ｍ１０は、端末装置１００が移動する度、地図情報Ｍ１０の表示範囲が所定の閾値以上スクロールされる度、あるいは、地図情報Ｍ１０の縮尺が所定の閾値以上変更される度に、配信し直されることとなる。
【００６５】
〔４．施設情報配信サーバの構成〕
次に、図３を用いて、実施形態に係る施設情報配信サーバ２０の構成について説明する。図３は、実施形態に係る施設情報配信サーバの構成例を示す図である。図３に示すように、施設情報配信サーバ２０は、通信部２１と、記憶部２２と、制御部２３とを有する。
【００６６】
通信部２１は、例えば、ＮＩＣ（Network  Interface  Card）等によって実現される。そして、通信部２１は、ネットワークＮと有線または無線で接続され、端末装置１００との間で情報の送受信を行う。
【００６７】
記憶部２２は、例えば、ＲＡＭ（Random  Access  Memory)、フラッシュメモリ（Flash  Memory）等の半導体メモリ素子、または、ハードディスク、光ディスク等の記憶装置によって実現される。また、記憶部２２は、施設に関する情報である施設情報が登録された施設情報データベース２４を記憶する。
【００６８】
ここで、図４は、実施形態に係る施設情報データベースに格納された情報の一例を示す図である。図４に示した例では、施設情報データベース２４は、「施設ＩＤ（Identifier）」、「施設位置」、「名称」、「説明」、「画像」、「評価」といった項目を有する施設情報が登録されている。なお、施設情報データベース２４には、図４に示す情報以外にも、施設に関連する任意の項目を有する情報、すなわち、施設情報が登録されていてもよい。
【００６９】
「施設ＩＤ」は、店舗や駐車場等といった検索対象となる施設を一意に示す識別子である。「施設位置」は、対応付けられた「施設ＩＤ」が示す施設の位置を示す情報であり、例えば、緯度および経度である。また、「名称」は、対応付けられた「施設ＩＤ」が示す施設の名称である。また、「説明」は、対応付けられた「施設ＩＤ」が示す施設を説明するためのテキストである。また、「画像」は、対応付けられた「施設ＩＤ」が示す施設に関連する各種の画像である。例えば、「画像」は、施設のロゴ、外観や内観の写真、施設で提供される商品や役務の内容を示す写真等である。また、「評価」は、対応付けられた「施設ＩＤ」が示す施設に対する利用者の評価を示す値である。なお、図４に示す例では、「位置＃１」、「施設Ａ」、「説明＃１」、「画像＃１」といった概念的な値を記載したが、実際には、項目に対応する各種のデータが施設情報として登録されることとなる。
【００７０】
例えば、図４に示す例では、施設ＩＤ「ＩＤ＃１」、施設位置「位置＃１」、名称「施設Ａ」、説明「説明＃１」、画像「画像＃１」、および評価「４．２」が対応付けて登録されている。このような施設情報は、「ＩＤ＃１」が示す施設の位置が「位置＃１」であり、名称が「施設Ａ」である旨を示す。また、このような施設情報は、「ＩＤ＃１」が示す施設の説明文が「説明＃１」であり、施設の画像が「画像＃１」である旨を示す。また、このような施設情報は、「ＩＤ＃１」が示す施設の評価を示す値が、５点満点中「４．２」である旨を示す。
【００７１】
図３に戻って、説明を続ける。制御部２３は、コントローラ（controller）であり、例えば、ＣＰＵ（Central  Processing  Unit）、ＭＰＵ（Micro  Processing  Unit）等のプロセッサによって、施設情報配信サーバ２０内部の記憶装置に記憶されている各種プログラムがＲＡＭ等を作業領域として実行されることにより実現される。また、制御部２３は、コントローラ（controller）であり、例えば、ＡＳＩＣ（Application  Specific  Integrated  Circuit）やＦＰＧＡ（Field  Programmable  Gate  Array）等の集積回路により実現されてもよい。
【００７２】
図３に示すように、制御部２３は、要求受付部２５、施設情報抽出部２６、および施設情報配信部２７を有し、以下に説明する情報処理の機能や作用を実現または実行する。なお、制御部２３の内部構成は、図３に示した構成に限られず、後述する情報処理を行う構成であれば他の構成であってもよい。また、制御部２３が有する各処理部の接続関係は、図３に示した接続関係に限られず、他の接続関係であってもよい。
【００７３】
要求受付部２５は、施設情報の取得要求を受付ける。例えば、要求受付部２５は、端末装置１００の現在位置や、利用者が入力した検索クエリの情報を含む取得要求を受付ける。また、要求受付部２５は、変更操作によって変更された地図情報Ｍ１０の表示範囲が示す領域を示す領域情報を含む取得要求を受付ける。このような場合、要求受付部２５は、受付けた取得要求を施設情報抽出部２６に出力する。
【００７４】
施設情報抽出部２６は、施設情報データベース２４から施設情報を抽出する。例えば、施設情報抽出部２６は、端末装置１００の現在位置の近傍に位置する施設のうち、所定の条件を満たす施設の施設情報を施設情報データベース２４から抽出する。また、他の例では、施設情報抽出部２６は、利用者が入力した検索クエリと関連性の高い施設の施設情報を施設情報データベース２４から抽出する。また、他の例では、施設情報抽出部２６は、領域情報が示す領域内に所在する施設の施設情報を施設情報データベース２４から抽出する。そして、施設情報抽出部２６は、抽出した施設情報を施設情報配信部２７に出力する。
【００７５】
施設情報配信部２７は、施設情報抽出部２６が抽出した施設情報を端末装置１００へと配信する。この結果、端末装置１００は、施設情報のリストＳ０１、Ｓ０２を表示することとなる。
【００７６】
〔５．地図情報配信サーバの構成〕
次に、図５を用いて、実施形態に係る地図情報配信サーバ３０の構成について説明する。図５は、実施形態に係る地図情報配信サーバの構成例を示す図である。図５に示すように、地図情報配信サーバ３０は、通信部３１と、地図情報データベース記憶部３２と、制御部３３とを有する。
【００７７】
通信部３１は、例えば、ＮＩＣ等によって実現される。そして、通信部３１は、ネットワークＮと有線または無線で接続され、端末装置１００との間で情報の送受信を行う。
【００７８】
地図情報データベース記憶部３２は、例えば、ＲＡＭ、フラッシュメモリ等の半導体メモリ素子、または、ハードディスク、光ディスク等の記憶装置によって実現される。そして、地図情報データベース記憶部３２は、地図情報Ｍ１０を端末装置１００に表示させるための各種のデータを記憶する。例えば、地図情報データベース記憶部３２は、地図として表示する画像や、施設の名称のテキストデータ等を地図情報Ｍ１０として記憶する。
【００７９】
制御部３３は、例えば、コントローラであり、例えば、ＣＰＵ、ＭＰＵ等のプロセッサによって、地図情報配信サーバ３０内部の記憶装置に記憶されている各種プログラムがＲＡＭ等を作業領域として実行されることにより実現される。また、制御部３３は、コントローラであり、例えば、ＡＳＩＣやＦＰＧＡ等の集積回路により実現されてもよい。
【００８０】
図５に示すように、制御部３３は、受付部３４と、地図情報配信部３５とを有し、以下に説明する情報処理の機能や作用を実現または実行する。なお、制御部３３の内部構成は、図５に示した構成に限られず、後述する情報処理を行う構成であれば他の構成であってもよい。また、制御部３３が有する各処理部の接続関係は、図５に示した接続関係に限られず、他の接続関係であってもよい。
【００８１】
受付部３４は、端末装置１００から地図情報Ｍ１０の取得要求を受付ける。例えば、受付部３４は、端末装置１００の現在位置、或いは、新たに表示される地図の領域を示す領域情報を含む取得要求を受付ける。
【００８２】
地図情報配信部３５は、受付部３４が受けつけた取得要求に従って、地図情報データベース記憶部３２に登録された情報から地図情報Ｍ１０を生成し、生成した地図情報Ｍ１０を配信する。例えば、地図情報配信部３５は、取得要求に端末装置１００の現在位置が含まれている場合には、かかる現在位置を中心とした所定の領域の地図を表示するための地図情報Ｍ１０を生成し、生成した地図情報Ｍ１０と、上述した表示処理を実行させるための制御情報とを端末装置１００へと配信する。一方、地図情報配信部３５は、取得要求に領域情報が含まれている場合は、その領域情報が示す領域の地図を表示するための地図情報Ｍ１０を生成し、生成した地図情報を端末装置１００に配信する。
【００８３】
〔６．端末装置の構成〕
次に、図６を用いて、実施形態に係る端末装置１００の構成について説明する。図６は、実施形態に係る端末装置の構成例を示す図である。図６に示すように、端末装置１００は、通信部１１０と、入力部１２０と、出力部１３０と、ＧＰＳアンテナ１４０と、制御部１５０とを有する。
【００８４】
通信部１１０は、例えば、ＮＩＣ等によって実現される。そして、通信部１１０は、ネットワークＮと有線または無線で接続され、施設情報配信サーバ２０や地図情報配信サーバ３０との間で情報の送受信を行う。
【００８５】
入力部１２０は、利用者から各種操作を受付ける入力装置である。例えば、入力部１２０は、キーボードやマウスや操作キー等によって実現される。出力部１３０は、各種情報を表示するための表示装置であり、すなわち、画面である。例えば、出力部１３０は、液晶ディスプレイ等によって実現される。なお、端末装置１００にタッチパネルが採用される場合には、入力部１２０と出力部１３０とは一体化される。また、以下の説明では、出力部１３０を画面と記載する場合がある。
【００８６】
ＧＰＳアンテナ１４０は、ＧＰＳ等の衛星測位システムに用いられる信号を衛星から受信するためのアンテナである。
【００８７】
制御部１５０は、例えば、コントローラであり、例えば、ＣＰＵ、ＭＰＵ等のプロセッサによって、端末装置１００内部の記憶装置に記憶されている各種プログラムがＲＡＭ等を作業領域として実行されることにより実現される。また、制御部１５０は、コントローラであり、例えば、ＡＳＩＣやＦＰＧＡ等の集積回路により実現されてもよい。例えば、この各種プログラムは、ウェブブラウザと呼ばれるアプリケーションプログラムやその他のアプリケーションプログラムに該当する。
【００８８】
図６に示すように、制御部１５０は、要求部１５１と、操作制御部１５２と、表示制御部１５３とを有し、以下に説明する情報処理の機能や作用を実現または実行する。なお、制御部１５０の内部構成は、図６に示した構成に限られず、後述する情報処理を行う構成であれば他の構成であってもよい。また、制御部１５０が有する各処理部の接続関係は、図６に示した接続関係に限られず、他の接続関係であってもよい。
【００８９】
要求部１５１は、操作制御部１５２がアプリケーションの実行要求を受付けた場合は、ＧＰＳアンテナ１４０が受信したＧＰＳ信号を用いて、端末装置１００の現在位置を特定する。また、要求部１５１は、利用者がアプリケーションを操作して施設の検索に関する検索クエリを入力した場合には、検索クエリを示す情報を操作制御部１５２から受付ける。そして、要求部１５１は、端末装置１００の現在位置を示す情報や、検索クエリを示す情報等を地図情報Ｍ１０や施設情報の取得要求に含め、取得要求を施設情報配信サーバ２０や地図情報配信サーバ３０へと送信する。
【００９０】
操作制御部１５２は、入力部１２０を介して受付けた利用者の操作に従って、各種制御を実行する。例えば、操作制御部１５２は、利用者が地図情報Ｍ１０を表示させるアプリケーションを実行させる操作を行った場合は、アプリケーションを実行させる。また、操作制御部１５２は、入力部１２０を介して受付けたスクロール操作やタップ操作等、利用者の操作の内容を表示制御部１５３に出力する。
【００９１】
表示制御部１５３は、上述した表示処理を実現するための各種処理を実行する。例えば、表示制御部１５３は、制御部１５０が、制御情報を実行することで、図６に示すように、表示部１５４および変更部１５５として動作し、表示処理を実行する。表示部１５４および変更部１５５は、例えば、ＣＰＵやＭＰＵ等によって制御情報がＲＡＭを作業領域として実行されることにより実現される。
【００９２】
表示部１５４は、施設の位置を示す位置情報が配置された地図情報Ｍ１０を第１表示領域に配置し、施設に関する情報である施設情報のリストを画面上の第２表示領域に配置して表示する。より具体的には、表示部１５４は、端末装置１００が有する画面の下端側に第１表示領域を設定し、画面の上端側に第２表示領域を設定する。そして、表示部１５４は、アプリケーションが起動された際に要求部１５１が要求した地図情報Ｍ１０と施設情報とを表示する。
【００９３】
より具体的には、表示部１５４は、要求部１５１が送信した取得要求により施設情報配信サーバ２０から配信された施設情報を取得する。また、表示部１５４は、要求部１５１が送信した取得要求により地図情報配信サーバ３０から配信された地図情報Ｍ１０を取得する。このような場合、表示部１５４は、第１表示領域に地図情報Ｍ１０を表示するとともに、地図情報Ｍ１０の表示範囲のうち、現在位置と対応する位置にアイコンＵ０１を配置するとともに、取得した施設情報が示す施設の位置と対応する位置にアイコンＣ２０を配置して表示する。また、表示部１５４は、取得した施設情報のリストＳ０１を生成し、生成したリストＳ０１を第２表示領域に配置して表示する。
【００９４】
この結果、表示部１５４は、利用者の現在位置を基準として選択された施設に関する施設情報のリストＳ０１を第２表示領域に配置して表示し、選択された施設の位置を示すアイコンＣ２０と、利用者の現在位置を示す情報Ｕ０１とが配置された地図情報Ｍ１０を第１表示領域に配置して表示する。なお、表示部１５４は、利用者が検索クエリを入力していた場合は、利用者が入力した検索クエリに対応する施設に関する施設情報と、施設の位置を示す情報が配置された地図情報Ｍ１０とを表示することとなる。また、表示部１５４は、第１表示領域内で行われる操作の内容を示す操作表示Ｉ０１を地図情報Ｍ１０と重ねて第１表示領域に表示する。
【００９５】
ここで、表示部１５４は、リストＳ０１に含まれる全ての施設情報を表示してもよく、例えば、リストＳ０１に含まれる施設情報のうち、一部の施設情報が表示されるように、リストＳ０１の一部を表示してもよい。このようにリストＳ０１の一部を表示する場合、端末装置１００は、リストＳ０１のスクロール操作を受付けることとなる。また、表示部１５４は、リストＳ０１の表示範囲を変更する処理の実行を指示する操作であって、第１表示領域内で行われる操作の内容を示す操作表示Ｉ０１を地図情報Ｍ１０と重ねて第１表示領域に表示してもよい。
【００９６】
なお、表示部１５４は、第１表示領域に表示されたアイコンＣ２０のうち、リストＳ０１の中から利用者によって選択された施設情報に関する施設のアイコンＣ２０を強調表示してもよい。例えば、表示部１５４は、リストＳ０１の中から利用者がタップした施設情報や、スクロール操作によって所定の位置まで移動された施設情報に関する施設のアイコンＣ２０を、他のアイコンＣ２０よりも大きく表示してもよい。
【００９７】
変更部１５５は、第１表示領域に表示された地図情報の表示範囲、または、第２表示領域に表示されたリストＳ０１の表示範囲のいずれか一方を変更する変更操作が行われた場合は、変更操作の対象となった表示範囲を変更するとともに、他方の表示範囲を合わせて変更する。
【００９８】
より具体的には、変更部１５５は、操作表示Ｉ０１が示す操作が受け付けられた場合には、施設の検索に関する処理を実行する。例えば、変更部１５５は、操作表示Ｉ０１が示す操作が受け付けられた場合は、第１モードおよび第２モードの切り替えを実行する。そして、変更部１５５は、第１モードである際に地図情報Ｍ１０の表示範囲またはリストＳ０１の表示範囲のいずれか一方を変更する変更操作が行われた場合は、変更操作の対象ではない表示範囲を維持しつつ、変更操作の対象となった表示範囲を変更する。一方、変更部１５５は、第２モードである際に変更操作が行われた場合は、変更操作の対象となった表示範囲を変更するとともに、変更後の表示範囲に基づいて、他方の表示範囲を変更する。
【００９９】
具体的な例を挙げると、変更部１５５は、第１モードである際に地図情報Ｍ１０の表示範囲を変更する変更操作が行われた場合は、リストＳ０１の表示範囲を維持しつつ、地図情報Ｍ１０の表示範囲を変更する。一方、変更部１５５は、第２モードである際に地図情報Ｍ１０の表示範囲を変更する変更操作が行われた場合は、地図情報Ｍ１０の表示範囲を変更するとともに、変更後の表示範囲に基づいて、第２表示領域に表示されるリストＳ０１を変更する。
【０１００】
例えば、変更部１５５は、第２モードである際に地図情報Ｍ１０の表示範囲を変更する変更操作が行われた場合は、変更後に表示される地図情報Ｍ１０を、地図情報配信サーバ３０にその都度要求し、地図情報配信サーバ３０から配信された地図情報Ｍ１０を表示する。また、変更部１５５は、変更操作が終了した場合は、地図情報Ｍ１０の表示範囲を変更してから所定の時間が経過するまでの間、待機する。
【０１０１】
そして、変更部１５５は、待機している間、新たな変更操作が行われなかった場合は、変更後の表示範囲に基づいて、第２表示領域に表示されるリストＳ０１を変更する。より具体的には、変更部１５５は、第２表示領域に表示されるリストＳ０１を、変更後の表示範囲が示す領域内の施設に関する施設情報のリストＳ０２に変更する。例えば、変更部１５５は、変更後における地図情報Ｍ１０の表示範囲が示す領域の情報を含む取得要求を施設情報配信サーバ２０に送信することで、変更後における地図情報Ｍ１０の表示範囲が示す領域内の施設に関する施設情報を新たに取得する。そして、変更部１５５は、新たに取得した施設情報のリストＳ０２を第２表示領域に表示するとともに、新たに取得した施設情報に関する施設の位置を示すアイコンＣ２０を、地図情報Ｍ１０に配置して表示する。なお、変更部１５５は、変更後における地図情報Ｍ１０の表示範囲が示す領域内の施設に関する施設情報が、表示済みのリストＳ０１に含まれている場合は、その施設情報が表示されるまで、リストＳ０１をスクロールさせてもよい。
【０１０２】
また、変更部１５５は、リストＳ０１をスクロールさせる操作、すなわち、リストＳ０１の表示範囲を変更する操作が行われた場合は、リストＳ０１の表示範囲を変更するとともに、変更後の表示範囲に施設情報が含まれる施設の位置に応じて、地図情報Ｍ１０の表示範囲を変更する。例えば、変更部１５５は、変更後におけるリストＳ０１の表示範囲に施設情報が含まれている施設、すなわち、施設情報が表示されている施設を特定する。また、変更部１５５は、特定した施設の位置を示す情報を含む取得要求を地図情報配信サーバ３０に送信することで、その施設の位置を含む地図情報Ｍ１０の配信を受付ける。そして、変更部１５５は、特定した施設の位置が表示されるまで、地図情報Ｍ１０の表示範囲を変更する。すなわち、変更部１５５は、リストＳ０１をスクロールさせた結果、表示された施設情報と関連する施設の位置が表示されるまで、地図情報Ｍ１０を自動でスクロールさせる。
【０１０３】
なお、変更部１５５は、変更後における地図情報Ｍ１０の表示範囲が示す領域内に施設が存在しない場合は、その領域から最近傍に位置する施設の位置が含まれるまで、地図情報Ｍ１０の表示範囲をさらに変更してもよい。例えば、変更部１５５は、最近傍に位置する施設の位置が表示されるまで、地図情報Ｍ１０の縮尺を縮小したり、地図情報Ｍ１０をスクロールさせてもよい。
【０１０４】
〔７．表示処理のバリエーション〕
上述した説明では、図１に例示した表示態様を用いながら、地図情報Ｍ１０の変更操作に従って、地図情報Ｍ１０の表示領域を変更するとともに、リストＳ０１を変更するといった処理の一例について説明した。しかしながら、実施形態は、これに限定されるものではない。以下、端末装置１００が実行する表示処理のバリエーションについて説明する。なお、以下に説明する表示処理は、例えば、表示部１５４および変更部１５５が発揮する処理により実現されるが、実施形態は、これに限定されるものではない。
【０１０５】
〔７−１．リストＳ０１のスクロールについて〕
例えば、端末装置１００は、施設情報のリストＳ０１の一部を第２表示領域に表示し、リストＳ０１をスクロールさせる操作に従って、リストＳ０１の表示範囲を変更するとともに、リストＳ０１のうち画面上に表示されている表示範囲に応じて、地図情報Ｍ１０の表示範囲を変更してもよい。以下、図７を用いて、端末装置１００が実行する表示処理のバリエーションについて説明する。
【０１０６】
図７は、実施形態に関する端末装置が実行する表示処理のバリエーションを説明する図である。なお、図７に示す例では、リストＳ０１の表示範囲の変更に従って、地図情報Ｍ１０の表示範囲を変更する処理の一例を第１状態から第６状態に分けて記載した。まず、端末装置１００は、第１状態に示すように、地図情報Ｍ１０と操作パネルＣ１０とを表示する。そして、端末装置１００は、おすすめの施設に関する施設情報を表示するためのボタンを利用者の指Ｆ１０が選択した場合は、施設の検索に関する初期表示として、第２状態に示すように、地図情報Ｍ１０と施設情報のリストＳ０１とを表示する。
【０１０７】
ここで、端末装置１００は、地図情報Ｍ１０の表示範囲が示す領域だけではなく、表示されていない領域の施設に関する施設情報についても、配信を受付ける。例えば、端末装置１００は、所定の条件を満たす施設の施設情報を、現在位置から近い順に所定の数だけ取得する。そして、端末装置１００は、取得した施設情報を並べたリストＳ１０を生成し、生成したリストＳ１０のうち一部の範囲、すなわち、地図情報Ｍ１０の表示範囲が示す領域内の施設に関する施設情報が配置された範囲を表示する。
【０１０８】
ここで、端末装置１００は、第２状態に示すように、利用者がリストＳ１０を画面左方向にスクロールさせた場合は、第３状態に示すように、リストＳ１０を画面左方向へとスクロールさせる。そして、端末装置１００は、リストＳ１０をスクロールさせてから所定の時間が経過した場合は、第４状態に示すように、地図情報Ｍ１０を徐々にスクロールさせる。より具体的には、端末装置１００は、第５状態に示すように、リストＳ１０に含まれる施設情報のうち、スクロール後に「店舗Ｄ」、「店舗Ｅ」、および「店舗Ｆ」に関する施設情報が表示されている場合は、「店舗Ｄ」、「店舗Ｅ」、および「店舗Ｆ」の位置を含む領域が表示されるまで、地図情報Ｍ１０をスクロールさせる。
【０１０９】
そして、端末装置１００は、第６状態に示すように、スクロール後に表示される施設情報に関する施設の位置を示すアイコンＣ２０を、地図情報Ｍ１０に配置して表示する。例えば、端末装置１００は、スクロール後に「店舗Ｄ」、「店舗Ｅ」、および「店舗Ｆ」に関する施設情報が表示されている場合は、地図情報Ｍ１０の表示領域のうち、「店舗Ｄ」、「店舗Ｅ」、および「店舗Ｆ」の位置を示す位置にアイコンＣ２０を配置して表示する。
【０１１０】
このように、端末装置１００は、第２表示領域に配置したリストＳ１０の表示範囲を変更する変更操作に応じて、リストＳ１０の表示範囲を変更するとともに、変更後におけるリストＳ１０の表示範囲に応じて、地図情報Ｍ１０の表示領域を変更してもよい。このような処理を実行することで、例えば、端末装置１００は、リストＳ１０に含まれる施設情報のうち、表示されている施設情報と、地図情報Ｍ１０の表示範囲との齟齬を解消することができる。
【０１１１】
なお、端末装置１００は、図１に示す例と同様に、モードの切り替え操作を示す操作表示Ｉ０１を表示し、第１モードおよび第２モードの切り替えを受付けてもよい。そして、端末装置１００は、第１モードの際にリストＳ１０のスクロール操作が行われた場合は、地図情報Ｍ１０の表示範囲を維持しつつリストＳ１０のみをスクロールさせ、第２モードの際にリストＳ１０のスクロール操作が行われた場合は、図７の第２状態から第６状態に示すように、スクロール後に表示された施設情報に関する施設の位置が表示されるまで、地図情報Ｍ１０の表示範囲を自動で変更してもよい。
【０１１２】
〔７−２．強調表示の一例について〕
また、端末装置１００は、利用者が選択した施設情報に関する施設の位置を示すアイコンＣ２０を強調表示してもよい。例えば、図８は、実施形態に係る端末装置が施設の位置を示す情報を強調表示する処理の一例を示す図である。例えば、図８中（Ａ）の第１状態に示すように、端末装置１００は、「店舗Ａ」、「店舗Ｂ」、および「店舗Ｃ」といった施設に関する施設情報のリストＳ１０と、各施設の位置を示すアイコンＣ２０および現在位置を示すアイコンＵ０１を配置した地図情報Ｍ１０とを表示する。そして、端末装置１００は、図８中（Ａ）の第１状態に示すように、利用者の指Ｆ１０が「店舗Ｃ」に関する施設情報をタップした場合は、図８中（Ａ）の第２状態に示すように、各店舗の位置を示すアイコンＣ２０のうち、「店舗Ｃ」の位置を示すアイコンＣ２０の大きさを拡大して表示する。
【０１１３】
また、例えば、端末装置１００は、図８中（Ｂ）の第１状態に示すように、端末装置１００は、「店舗Ａ」、「店舗Ｂ」、および「店舗Ｃ」といった施設に関する施設情報のリストＳ１０を配置するとともに、中央付近に配置された施設情報、すなわち「店舗Ｂ」に関する施設情報を拡大して表示する。このような場合、端末装置１００は、図８中（Ｂ）の第１状態に示すように、各店舗の位置を示すアイコンＣ２０のうち、施設情報が拡大して表示された施設、すなわち、施設情報が強調表示された施設である「店舗Ｂ」の位置を示すアイコンＣ２０の大きさを拡大して表示する。
【０１１４】
また、端末装置１００は、図８中（Ｂ）の第１状態に示すように、リストＳ１０を画面左方向にスクロールさせる操作を利用者の指Ｆ１０が行った場合は、リストＳ１０を画面左方向にスクロールさせる。この結果、端末装置１００は、リストＳ１０に含まれる施設情報のうち、「店舗Ｃ」に関する施設情報を中央付近に移動させた場合は、図８中（Ｂ）の第２状態に示すように、「店舗Ｃ」に関する施設情報を拡大して表示するとともに、「店舗Ｂ」の位置を示すアイコンＣ２０の大きさを所定の大きさに変更し、「店舗Ｃ」の位置を示すアイコンＣ２０を拡大して表示する。
【０１１５】
〔７−３．実施形態について〕
ここで、上述した実施形態では、第１モードと第２モードとの切替を受付け、第２モードである場合は、地図情報Ｍ１０の変更操作、または、リストＳ１０の変更操作に応じて、地図情報Ｍ１０の表示領域およびリストＳ１０の表示領域を変更する表示処理を説明した。しかしながら、実施形態は、これに限定されるものではない。例えば、端末装置１００は、第１モードと第２モードとの切替えを行わずに、常時、地図情報Ｍ１０の変更操作、または、リストＳ１０の変更操作に応じて、地図情報Ｍ１０の表示領域およびリストＳ１０の表示領域を変更してもよい。
【０１１６】
例えば、端末装置１００は、初期表示において、地図情報Ｍ１０に近傍の飲食店の位置を示すアイコンＣ２０を配置するとともに、操作表示Ｉ０１を地図情報Ｍ１０と重ねて表示し、近傍の飲食店に関する施設情報のリストＳ０１を表示する。そして、端末装置１００は、操作表示Ｉ０１が示す操作が行われた場合は、操作内容に従って、位置を示すアイコンや施設情報の表示対象となる施設の種別を変更する。例えば、端末装置１００は、操作表示Ｉ０１が示す操作が行われた場合には、飲食店に代えて、駐車場の位置を示すアイコンＣ２０や駐車場の施設情報のリストＳ０１を表示する。そして、端末装置１００は、地図情報Ｍ１０のスクロール操作が行われた場合は、スクロール後に表示される表示範囲が示す領域の駐車場に関する施設情報のリストＳ０２や、位置を示すアイコンＣ２０を表示してもよい。
【０１１７】
〔７−４．その他〕
端末装置１００は、上述した任意の処理を適宜組み合わせて、表示処理を実行してもよい。かかる組み合わせは、端末装置１００を利用する利用者の操作によって適宜選択されてもよく、表示処理を実行させるアプリケーションや制御情報に予め組み込まれていてもよい。
【０１１８】
〔８．端末装置１００の処理フロー〕
次に、図９、図１０を用いて、制御情報を実行した端末装置１００が実行する処理の手順について説明する。まず、図９を用いて、地図情報Ｍ１０の表示範囲を変更する変更操作が行われた際に端末装置１００が実行する処理の流れの一例について説明する。図９は、実施形態に係る端末装置が実行する表示処理の流れの一例を示す第１のフローチャートである。
【０１１９】
例えば、端末装置１００は、アプリケーションの起動とともに現在位置を取得し（ステップＳ１０１）、現在位置に対応する地図情報Ｍ１０を取得する（ステップＳ１０２）。また、端末装置１００は、現在位置に対応する施設の施設情報を取得する（ステップＳ１０３）。そして、端末装置１００は、現在地位置を中心とした地図情報Ｍ１０を施設情報のリストＳ０１とともに表示する（ステップＳ１０４）。
【０１２０】
また、端末装置１００は、施設の位置を示すアイコンＣ２０を地図情報Ｍ１０に表示するとともに（ステップＳ１０５）。地図情報Ｍ１０に、モードを切り替える操作を示す操作表示を重ねて表示する（ステップＳ１０６）。そして、端末装置１００は、モードを切り替える操作が行われたか否かを判定し（ステップＳ１０７）、操作が行われた場合は（ステップＳ１０７：Ｙｅｓ）、モードを第１モードから第２モードに切り替える（ステップＳ１０８）。一方、端末装置１００は、モードを切り替える操作が行われなかった場合は（ステップＳ１０７：Ｎｏ）、ステップＳ１０８の実行をスキップする。
【０１２１】
続いて、端末装置１００は、地図情報Ｍ１０の変更操作が行われたか否かを判定し（ステップＳ１０９）、変更操作が行われた場合は（ステップＳ１０９：Ｙｅｓ）、地図情報Ｍ１０の表示領域を変更する（ステップＳ１１０）。また、端末装置１００は、第２モードであるか否かを判定し（ステップＳ１１１）、第２モードである場合は（ステップＳ１１１：Ｙｅｓ）、表示範囲内の施設に関する施設情報を新たに取得し（ステップＳ１１２）、施設情報のリストＳ０１を新たに取得した施設情報のリストＳ０２に変更し、リストＳ０２に含まれる施設の位置を示すアイコンＣ２０を地図情報Ｍ１０上に表示する（ステップＳ１１３）。
【０１２２】
続いて、端末装置１００は、利用者がリンクをタップした等の処理によりウェブページを遷移させるか否かを判定する（ステップＳ１１４）。そして、端末装置１００は、ウェブページを遷移させる場合は（ステップＳ１１４：Ｙｅｓ）、ウェブページを遷移させ（ステップＳ１１５）、処理を終了する。一方、端末装置１００は、ウェブページを遷移させない場合は（ステップＳ１１４：Ｎｏ）、ステップＳ１０６を実行する。また、端末装置１００は、地図情報の変更操作が行われなかった場合は（ステップＳ１０９：Ｎｏ）、ステップＳ１１４を実行する。また、端末装置１００は、地図情報の表示領域を変更した際に、第２モードではなかった場合は（ステップＳ１１１：Ｎｏ）、施設情報のリストを更新せずに、ステップＳ１１４を実行する。
【０１２３】
次に、図１０を用いて、リストＳ１０の表示範囲を変更するスクロール操作が行われた際に端末装置１００が実行する処理の流れの一例について説明する。図１０は、実施形態に係る端末装置が実行する表示処理の流れの一例を示す第２のフローチャートである。なお、図１０に記載したステップＳ２０１〜Ｓ２１５のうち、ステップＳ２０１〜Ｓ２０９、Ｓ２１４、Ｓ２１５に示す処理については、図９に示すステップＳ１０１〜Ｓ１０９、Ｓ１１４、Ｓ１１５と同様の処理であるものとして、説明を省略する。
【０１２４】
例えば、端末装置１００は、施設情報のリストＳ１０に対するスクロール操作が行われたか否かを判定し（ステップＳ２０９）、スクロール操作が行われた場合は（ステップＳ２０９：Ｙｅｓ）、施設情報のリストをスクロールさせる（ステップＳ２１０）。また、端末装置１００は、第２モードであるか否かを判定し（ステップＳ２１１）、第２モードである場合は（ステップＳ２１１：Ｙｅｓ）、施設情報が表示されている施設の位置を特定し（ステップＳ２１２）、特定した位置を含む領域まで地図情報Ｍ１０をスクロールさせ、施設情報が表示されている施設の位置を示すアイコンＣ２０を地図情報Ｍ１０上に配置して表示する（ステップＳ２１３）。また、端末装置１００は、施設情報のリストＳ１０に対するスクロール操作が行われなかった場合は（ステップＳ２０９：Ｎｏ）、ステップＳ２１４を実行する。また、端末装置１００は、リストＳ１０をスクロールさせた際に、第２モードではなかった場合は（ステップＳ２１１：Ｎｏ）、地図情報Ｍ１０をスクロールさせずに、ステップＳ２１４を実行する。
【０１２５】
〔９．変形例〕
上記では、図１、図７、図８に例示した表示態様を用いながら、端末装置１００による表示処理の一例について説明した。しかしながら、実施形態は、これに限定されるものではない。以下、端末装置１００が実行する表示処理のバリエーションについて説明する。なお、以下に説明する表示処理は、例えば、表示部１５４および変更部１５５が発揮する処理により実現されるが、実施形態は、これに限定されるものではない。
【０１２６】
〔９−１．施設情報について〕
上述した端末装置１００は、施設情報として、例えば、施設の名称や施設の写真を第２表示領域に配置して表示した。しかしながら、実施形態は、これに限定されるものではない。例えば、端末装置１００は、施設情報として、施設の説明文や評価等を施設情報として表示してもよい。
【０１２７】
また、端末装置１００は、図１や図８に示すように、各施設の施設情報を画面横方向に並べたリストＳ０１、Ｓ１０のみならず、各施設の施設情報を画面縦方向に並べたリストを第２表示領域に表示してもよい。このようなリストを表示した場合、端末装置１００は、施設情報のリストを画面上下方向にスクロールさせるスクロール操作に従って、リストの表示範囲を変更するとともに、変更後の表示範囲に従って、地図情報Ｍ１０の表示範囲を変更することとなる。
【０１２８】
〔９−２．各種検索について〕
なお、上述した表示処理は、地図情報に関連する任意の処理を組み合わせて実行されてもよい。例えば、端末装置１００は、地名や施設の種別の検索結果として、図１中の第２状態に示すような表示を行い、その後、上述した各種の表示処理を実行してもよい。すなわち、端末装置１００は、地図情報Ｍ１０と施設情報とを表示する際に、上述した表示処理を実行するのであれば、任意のタイミングで、上述した表示処理を実行してよい。
【０１２９】
〔９−３．装置構成〕
また、上記実施形態では、配信システム１に、施設情報配信サーバ２０と地図情報配信サーバ３０とが含まれる例を示したが、施設情報配信サーバ２０と地図情報配信サーバ３０とは１個の装置として形成されてもよい。この場合、図３に示した施設情報配信サーバ２０は、例えば、図５に示した地図情報データベース記憶部３２、受付部３４、地図情報配信部３５を有する。そして、施設情報配信サーバ２０は、端末装置１００から地図情報Ｍ１０や施設情報の取得要求を受付けた場合に、地図情報Ｍ１０や施設情報の配信を行うこととなる。
【０１３０】
また、上記実施形態では、施設情報配信サーバ２０から端末装置１００に施設情報が配信される例を示したが、地図情報配信サーバ３０が、施設情報配信サーバ２０から施設情報を取得し、取得した施設情報を地図情報Ｍ１０とともに端末装置１００へと送信してもよい。
【０１３１】
〔９−４．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１３２】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図６に示した要求部１５１および操作制御部１５２は統合されてもよい。
【０１３３】
また、上記してきた各実施形態は、処理内容を矛盾させない領域で適宜組み合わせることが可能である。
【０１３４】
〔９−５．プログラム〕
また、上述してきた実施形態に係る端末装置１００は、例えば図１１に示すような構成のコンピュータ１０００によって実現される。図１１は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【０１３５】
演算装置１０３０は、一次記憶装置１０４０や二次記憶装置１０５０に格納されたプログラムや入力装置１０２０から読み出したプログラム等に基づいて動作し、各種の処理を実行する。一次記憶装置１０４０は、ＲＡＭ等、演算装置１０３０が各種の演算に用いるデータを一次的に記憶するメモリ装置である。また、二次記憶装置１０５０は、演算装置１０３０が各種の演算に用いるデータや、各種のデータベースが登録される記憶装置であり、ＲＯＭ(Read  Only  Memory)、ＨＤＤ、フラッシュメモリ等により実現される。
【０１３６】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【０１３７】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【０１３８】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【０１３９】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【０１４０】
例えば、コンピュータ１０００が端末装置１００として機能する場合、コンピュータ１０００の演算装置１０３０は、一次記憶装置１０４０上にロードされたプログラムを実行することにより、制御部１５０の機能を実現する。
【０１４１】
〔１０．効果〕
上述したように、端末装置１００は、画面の下端側に配置された第１表示領域に、施設の位置を示すアイコンＣ２０が配置された地図情報Ｍ１０を表示し、画面の上端側に設定された第２表示領域に、施設に関する情報である施設情報のリストＳ０１を表示する。そして、端末装置１００は、例えば、図１の第５状態から第７状態に示すように、端末装置１００を用いた施設の検索を行う際に、地図情報Ｍ１０の表示範囲またはリストＳ０１の表示範囲のいずれか一方を変更する変更操作が行われた場合は、変更操作の対象となった表示範囲を変更するとともに、変更後の表示範囲に基づいて、他方の表示範囲を変更する。
【０１４２】
上述した処理の結果、端末装置１００は、リストＳ１０に含まれる施設情報のうち、表示されている施設情報と、地図情報Ｍ１０の表示範囲との齟齬を解消することができるので、ユーザビリティを向上させることができる。
【０１４３】
例えば、端末装置１００は、地図情報Ｍ１０の表示範囲が変更された場合は、変更後における地図情報Ｍ１０の表示範囲に基づいてリストＳ１０の表示範囲を変更し、リストＳ１０の表示範囲が変更された場合は、変更後におけるリストＳ１０の表示範囲に基づいて、地図情報Ｍ１０の表示範囲を変更する。より具体的には、端末装置１００は、地図情報Ｍ１０の表示範囲を変更する変更操作が行われた場合は、地図情報Ｍ１０の表示範囲を変更するとともに、変更後の表示範囲に基づいて、第２表示領域に表示されるリストを変更する。すなわち、端末装置１００は、第２表示領域に表示されるリストを、変更後の表示範囲が示す領域内の施設に関する施設情報のリストに変更する。この結果、端末装置１００は、表示されている施設情報と、地図情報Ｍ１０の表示範囲との齟齬を解消することができるので、ユーザビリティを向上させることができる。
【０１４４】
また、端末装置１００は、地図情報Ｍ１０の表示範囲を変更してから所定の時間が経過するまでの間、新たな変更操作が行われなかった場合は、変更後の表示範囲に基づいて、第２表示領域に表示されるリストＳ０１を変更する。このため、端末装置１００は、地図情報Ｍ１０がわずかにスクロールされた場合等に、リストＳ０１の不要な変更を防ぐことができる。
【０１４５】
また、端末装置１００は、変更後の表示範囲が示す領域内に施設が存在しない場合は、領域から最近傍に位置する施設の位置が含まれるまで、変更後における地図情報Ｍ１０の表示範囲をさらに変更する。このため、端末装置１００は、利用者に施設情報や施設の位置を提示することができるので、ユーザビリティをさらに向上させることができる。
【０１４６】
また、端末装置１００は、例えば、図１の第１状態から第３状態に示すように、施設の検索に関する第１モードである際に地図情報Ｍ１０の表示範囲またはリストＳ０１、Ｓ１０の表示範囲のいずれか一方を変更する変更操作が行われた場合は、変更操作の対象ではない表示範囲を維持しつつ、変更操作の対象となった表示範囲を変更する。一方、端末装置１００は、例えば、図１の第４状態から第７状態に示すように、施設の検索に関する第２モードである際に変更操作が行われた場合は、変更操作の対象となった表示範囲を変更するとともに、変更後の表示範囲に基づいて、他方の表示範囲を変更する。
【０１４７】
例えば、端末装置１００は、第１モードである際に地図情報Ｍ１０の表示範囲を変更する変更操作が行われた場合は、リストＳ０１の表示範囲を維持しつつ、地図情報Ｍ１０の表示範囲を変更する。一方、端末装置１００は、第２モードにおいて地図情報Ｍ１０の表示範囲が変更された場合は、変更後における地図情報Ｍ１０の表示範囲に基づいてリストＳ１０の表示範囲を変更し、リストＳ１０の表示範囲が変更された場合は、変更後におけるリストＳ１０の表示範囲に基づいて、地図情報Ｍ１０の表示範囲を変更する。この結果、端末装置１００は、利用者の検索目的に応じて、モードの切り替えを受付けるので、地図情報Ｍ１０の表示範囲と施設情報との変更態様を変更することができる。
【０１４８】
また、端末装置１００は、第１モードまたは第２モードを切り替える操作であって、第１表示領域内で行われる操作の内容を示す操作表示Ｉ０１を地図情報Ｍ１０と重ねて第１表示領域に表示する。このため、端末装置１００は、第１モードと第２モードとの変更を容易にすることができるので、ユーザビリティをさらに向上させることができる。
【０１４９】
また、端末装置１００は、地図情報Ｍ１０を第１表示領域に配置し、施設に関する情報である施設情報のリストＳ１０の一部を画面上の第２表示領域に配置して表示する。そして、端末装置１００は、リストＳ１０の表示範囲を変更する操作が行われた場合は、リストＳ１０の表示範囲を変更するとともに、変更後の表示範囲に施設情報が含まれる施設の位置に応じて、地図情報Ｍ１０の表示範囲を変更する。より具体的には、端末装置１００は、変更後の表示範囲に施設情報が含まれる施設の位置を含めるように、地図情報Ｍ１０の表示範囲を変更する。このため、端末装置１００は、リストＳ１０に含まれる施設情報のうち、表示されている施設情報と、地図情報Ｍ１０の表示範囲との齟齬を解消することができる。
【０１５０】
また、端末装置１００は、リストＳ１０の表示範囲を変更する処理の実行を指示する操作であって、第１表示領域内で行われる操作の内容を示す操作表示Ｉ０１を地図情報Ｍ１０と重ねて第１表示領域に表示する。このため、端末装置１００は、リストＳ１０の表示範囲の変更をさらに容易にすることができる。
【０１５１】
また、端末装置１００は、端末装置１００を用いた施設の検索が行われる場合は、例えば、図１の第２状態に示すように、画面上の第１表示領域に、アイコンＣ２０が配置された地図情報Ｍ１０と、第１表示領域内で行われる操作の内容を示す操作表示Ｉ０１とを重ねて配置し、画面上の第２表示領域に、施設に関する情報である施設情報のリストＳ０１を配置して、地図情報Ｍ１０、操作表示Ｉ０１およびリストＳ０１を表示する。そして、端末装置１００は、操作表示Ｉ０１が示す内容の操作が第１表示領域内で行われた場合には、施設の検索に関する処理を開始する。このため、端末装置１００は、地図情報Ｍ１０が表示された第１表示領域内で、施設の検索に関する処理の実行を指示する操作を受付けることができるので、ユーザビリティを向上させることができる。
【０１５２】
また、端末装置１００は、利用者の現在位置を基準として選択された施設に関する施設情報のリストを第２表示領域に配置し、選択された施設の位置を示す情報と、利用者の現在位置を示す情報とが配置された地図情報Ｍ１０を第１表示領域に配置して表示する。このため、端末装置１００は、現在位置を基準とした初期表示を行うことができる。
【０１５３】
また、端末装置１００は、第１表示領域に表示された位置を示す情報のうち、リストの中から利用者によって選択された施設情報に関する施設の位置を示す情報を強調表示する。このため、端末装置１００は、施設情報と、施設の位置との対応を利用者に提示することができる。
【０１５４】
また、端末装置１００は、画面の下端側に第１表示領域を設定し、画面の上端側に第２表示領域を設定する。このため、端末装置１００は、地図情報Ｍ１０に対する操作をより容易にすることができる。
【０１５５】
また、端末装置１００は、検索に関する処理の実行を指示する操作であって、第１表示領域内で行われる操作の内容を示す操作表示Ｉ０１を地図情報Ｍ１０と重ねて第１表示領域に表示する。このため、端末装置１００は、地図情報Ｍ１０の拡大や縮小といった操作をより容易にすることができる。
【０１５６】
また、端末装置１００は、利用者が入力した検索クエリに対応する施設に関する施設情報と、その施設の位置を示す情報が配置された地図情報Ｍ１０とを表示する。このため、端末装置１００は、施設の検索結果として、施設情報と、施設の位置を示す地図情報Ｍ１０とを表示することができる。
【０１５７】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１５８】
また、上記してきた「部（section、module、unit）」は、「手段」や「回路」などに読み替えることができる。例えば、配信部は、配信手段や配信回路に読み替えることができる。
【符号の説明】
【０１５９】
１  配信システム
２０  施設情報配信サーバ
２１、３１、１１０  通信部
２２  記憶部
２３、３３、１５０  制御部
２４  施設情報データベース
２５  要求受付部
２６  施設情報抽出部
２７  施設情報配信部
３０  地図情報配信サーバ
３２  地図情報データベース記憶部
３４  受付部
３５  地図情報配信部
１００  端末装置
１２０  入力部
１３０  出力部
１４０  ＧＰＳアンテナ
１５１  要求部
１５２  操作制御部
１５３  表示制御部
１５４  表示部
１５５  変更部
【図１】
2018018402.tif 000003
【図２】
2018018402.tif 000004
【図３】
2018018402.tif 000005
【図４】
2018018402.tif 000006
【図５】
2018018402.tif 000007
【図６】
2018018402.tif 000008
【図７】
2018018402.tif 000009
【図８】
2018018402.tif 000010
【図９】
2018018402.tif 000011
【図１０】
2018018402.tif 000012
【図１１】
2018018402.tif 000013